(57)【要約】  本発明はタイミング駆動プロセスを含む液晶パネルの駆動方法を提供し、さらに液晶パネルの駆動回路を提供する。前記タイミング駆動プロセスは、低レベルからハイレベルに上昇する第１立上りエッジとハイレベルから低レベルに降下する第１立下りエッジを有する初期パルス信号を発生することと、低レベルから中間レベルに上昇する第２立上りエッジ、中間レベルからハイレベルに上昇する第３立上りエッジ、ハイレベルから中間レベルに降下する第２立下りエッジ及び中間レベルから低レベルに降下する第３立下りエッジを有するタイミングパルス信号を発生することとを含む。該駆動方法及び駆動回路において、タイミング駆動チップは走査駆動信号を制御するための制御信号のみを走査駆動チップに伝送し、よって液晶パネルの配線を減らし、設計の難しさを低減させるとともに、コストを削減することもできる。
2017502340.tif 000002
【特許請求の範囲】
【請求項１】
タイミング駆動プロセスを含む液晶パネルの駆動方法であって、
前記タイミング駆動プロセスは、
Ａ、低レベルからハイレベルに上昇する第１立上りエッジとハイレベルから低レベルに降下する第１立下りエッジを有する初期パルス信号を発生すること、
Ｂ、低レベルから中間レベルに上昇する第２立上りエッジ、中間レベルからハイレベルに上昇する第３立上りエッジ、ハイレベルから中間レベルに降下する第２立下りエッジ及び中間レベルから低レベルに降下する第３立下りエッジを有するタイミングパルス信号を発生すること、
とを含むことを特徴とする駆動方法。
【請求項２】
さらに、走査駆動プロセスを含み、
タイミング駆動回路により入力された制御信号を受信する受信ステップと、
前記制御信号に基づき標的制御信号を生成する変換ステップと、
標的制御信号に基づいて液晶パネルを駆動するための走査駆動信号を出力する出力ステップと、
を含むことを特徴とする請求項１に記載の駆動方法。
【請求項３】
前記標的制御信号は開始パルス信号、クロックパルス信号及びイネーブル制御信号を含むことを特徴とする請求項２に記載の駆動方法。
【請求項４】
変換ステップは、
前記初期パルス信号を開始パルス信号に変換することと、
前記タイミングパルス信号をクロックパルス信号とイネーブル制御信号に変換することと、
を含み、
クロックパルス信号の立上りエッジはタイミングパルス信号の第３立上りエッジであり、クロックパルス信号の立下りエッジはタイミングパルス信号の第３立下りエッジであり、イネーブル制御信号の立上りエッジはタイミングパルス信号の第２立上りエッジであり、イネーブル制御信号の立下りエッジはタイミングパルス信号の第２立下りエッジである
ことを特徴とする請求項３に記載の駆動方法。
【請求項５】
有効表示時間内に、前記制御信号は進み初期パルス信号と複数の遅れタイミングパルス信号を含むことを特徴とする請求項４に記載の駆動方法。
【請求項６】
有効表示時間内に、前記制御信号は進み初期パルス信号と複数の遅れタイミングパルス信号を含むことを特徴とする請求項３に記載の駆動方法。
【請求項７】
有効表示時間内に、前記制御信号は進み初期パルス信号と複数の遅れタイミングパルス信号を含むことを特徴とする請求項２に記載の駆動方法。
【請求項８】
有効表示時間内に、前記制御信号は進み初期パルス信号と複数の遅れタイミングパルス信号を含むことを特徴とする請求項１に記載の駆動方法。
【請求項９】
制御信号を走査駆動チップに伝送するタイミング駆動チップ、走査線及び走査線に結合される走査駆動チップを含む液晶パネルの駆動回路であって、
前記制御信号は、
低レベルからハイレベルに上昇する第１立上りエッジとハイレベルから低レベルに降下する第１立下りエッジを有する初期パルス信号と、
低レベルから中間レベルに上昇する第２立上りエッジ、中間レベルからハイレベルに上昇する第３立上りエッジ、ハイレベルから中間レベルに降下する第２立下りエッジ及び中間レベルから低レベルに降下する第３立下りエッジを有するタイミングパルス信号と、
を含む、ことを特徴とする液晶パネルの駆動回路。
【請求項１０】
前記タイミング駆動チップと走査駆動チップとの間には前記制御信号を伝送するための１本の配線しかないことを特徴とする請求項９に記載の駆動回路。
【請求項１１】
前記走査駆動チップ内には前記制御信号を標的制御信号に変換するための復号化モジュールが設けられ、前記走査駆動チップは標的制御信号に基づき液晶パネルを駆動するための走査駆動信号を出力することを特徴とする請求項１０に記載の駆動回路。
【請求項１２】
前記走査駆動チップ内には前記制御信号を標的制御信号に変換するための復号化モジュールが設けられ、前記走査駆動チップは標的制御信号に基づき液晶パネルを駆動するための走査駆動信号を出力することを特徴とする請求項９に記載の駆動回路。
【請求項１３】
前記標的制御信号は、開始パルス信号、クロックパルス信号及びイネーブル制御信号を含むことを特徴とする請求項１２に記載の駆動回路。
【請求項１４】
前記復号化モジュールは、前記初期パルス信号を開始パルス信号に変換し、
前記タイミングパルス信号をクロックパルス信号とイネーブル制御信号に変換し、
クロックパルス信号の立上りエッジはタイミングパルス信号の第３立上りエッジであり、クロックパルス信号の立下りエッジはタイミングパルス信号の第３立下りエッジであり、イネーブル制御信号の立上りエッジはタイミングパルス信号の第２立上りエッジであり、イネーブル制御信号の立下りエッジはタイミングパルス信号の第２立下りエッジであることを特徴とする請求項１３に記載の駆動回路。
【請求項１５】
有効表示時間内に、前記制御信号は進み初期パルス信号と複数の遅れタイミングパルス信号を含むことを特徴とする請求項１４に記載の駆動回路。
【請求項１６】
有効表示時間内に、前記制御信号は進み初期パルス信号と複数の遅れタイミングパルス信号を含むことを特徴とする請求項１３に記載の駆動回路。
【請求項１７】
有効表示時間内に、前記制御信号は進み初期パルス信号と複数の遅れタイミングパルス信号を含むことを特徴とする請求項１２に記載の駆動回路。
【請求項１８】
有効表示時間内に、前記制御信号は進み初期パルス信号と複数の遅れタイミングパルス信号を含むことを特徴とする請求項１１に記載の駆動回路。
【請求項１９】
有効表示時間内に、前記制御信号は進み初期パルス信号と複数の遅れタイミングパルス信号を含むことを特徴とする請求項１０に記載の駆動回路。
【請求項２０】
有効表示時間内に、前記制御信号は進み初期パルス信号と複数の遅れタイミングパルス信号を含むことを特徴とする請求項９に記載の駆動回路。
【発明の詳細な説明】
【技術分野】
【０００１】
本発明は液晶表示分野に関し、さらに具体的には、液晶パネルの駆動方法及び駆動回路に関する。
【背景技術】
【０００２】
現在、急速な科学技術の発展に伴い、情報製品の種類は絶えず古きを退けて新しきを出し、大衆の様々なニーズを満足させている。早期ディスプレイの大半は陰極線管（Ｃａｔｈｏｄｅ  Ｒａｙ  Ｔｕｂｅ、ＣＲＴ）ディスプレイであり、その体積が膨大で電力消費量が大きく、発生された輻射はディスプレイを長く使用する利用者にとって、体に害を与える問題が存在する。そのため、現在市販されているディスプレイは益々従来のＣＲＴディスプレイから液晶ディスプレイ（Ｌｉｑｕｉｄ  Ｃｒｙｓｔａｌ  Ｄｉｓｐｌａｙ、ＬＣＤ）に代替されている。
【０００３】
従来の市販されている液晶ディスプレイの大半はバックライト型液晶ディスプレイであり、液晶パネル及びバックライトモジュール（ｂａｃｋｌｉｇｈｔ  ｍｏｄｕｌｅ）を含む。液晶パネルは、縦横交互に配置された走査線と制御線を含み、データ線はデータ駆動チップによって制御され、データチップはデータ始動信号ＴＰ１（ｌａｔｃｈｅｄ  ｐｕｌｓｅ）を受信した後、立下りエッジにおいてデータ電圧を液晶パネルのデータ線に出力し、走査線は液晶パネルの両側に設置された走査駆動チップによって制御される。現在、液晶表示の行ごとのオン及びオフを制御する走査駆動チップに必要な制御信号は３つあり、図１に示すように、それぞれ、１行目の走査の開始を制御する開始パルス信号ＳＴＶ（ｓｔａｒｔ  ｖｏｌｔａｇｅ  ｐｕｌｓｅ）、走査駆動チップのシフトレジスタに印加され、行ごとのスイッチング周波数を制御し、立上りエッジにおいてＳＴＶがハイレベルであると検知された時に作動し始まるクロックパルス信号ＣＫＶ（ｃｌｏｃｋ  ｖｏｌｔａｇｅ  ｐｕｌｓｅ）、及び出力イネーブル制御信号ＯＥ（ｏｕｔｐｕｔ  ｅｎａｂｌｅ）であり、イネーブル制御信号ＯＥのパルス信号はクロックパルス信号ＣＫＶの立上りエッジを含む。液晶パネル内部には寄生コンデンサがあるため、走査出力電圧が液晶パネル内に伝送される時は遅延が発生し、行と行の間のオフとオンが重なる問題が存在し、重なり領域を形成し、よってデータが誤って充填される問題が発生する。しかし、ＯＥを加えた後、ＯＥのハイレベルは走査出力電圧を強制的にプルダウンさせる。そのため、ＯＥを行と行のオンとオフの切替の間に設け、強制的に隣接する走査線に同時にオンされる重なり領域がないようにし、２行が重なってオンされる時間を回避し、データが誤って充填される問題を回避する。
【０００４】
これらの走査駆動チップの制御信号は、プリント基板ＰＣＢＡから、データチップのフレキシブルプリント基板を介して液晶パネルのガラスに伝送され、ガラス配線を介して走査駆動チップに伝送され、現在の液晶パネルの設計はいずれも狭額縁の開発に主力しており、一つの信号を追加することに伴う代価はガラスに1本多めに配線することであり、ガラス周縁の空間を占め、また、タイミング制御チップＴ‐ＣＯＮ（ｔｉｍｉｎｇ  ｃｏｎｔｒｏｌｌｅｒ）も一つの制御信号を追加で必要とし、コストも増加する。
【発明の概要】
【発明が解決しようとする課題】
【０００５】
上記従来技術に存在する問題を解決するために、本発明は液晶パネルの配線を減らし、コストを削減することができる液晶パネルの駆動方法及び駆動回路を提供することを目的とする。
【課題を解決するための手段】
【０００６】
上記目的を実現するために、本発明はタイミング駆動プロセスを含む液晶パネルの駆動方法を提供する。前記タイミング駆動プロセスは、
Ａ、低レベルからハイレベルに上昇する第１立上りエッジとハイレベルから低レベルに降下する第１立下りエッジを有する初期パルス信号を発生することと、
Ｂ、低レベルから中間レベルに上昇する第２立上りエッジ、中間レベルからハイレベルに上昇する第３立上りエッジ、ハイレベルから中間レベルに降下する第２立下りエッジ及び中間レベルから低レベルに降下する第３立下りエッジを有するタイミングパルス信号を発生することと、を含む。
【０００７】
さらに、
タイミング駆動回路により入力された制御信号を受信する受信ステップと、
前記制御信号に基づき標的制御信号を生成する変換ステップと、
標的制御信号に基づき液晶パネルを駆動するための走査駆動信号を出力する出力ステップとを含む、走査駆動プロセスを含む。
【０００８】
前記標的制御信号は、開始パルス信号、クロックパルス信号及びイネーブル制御信号を含む。
【０００９】
前記変換ステップは、
前記初期パルス信号を開始パルス信号に変換することと、
前記タイミングパルス信号をクロックパルス信号とイネーブル制御信号に変換することとを含み、クロックパルス信号の立上りエッジはタイミングパルス信号の第３立上りエッジであり、クロックパルス信号の立下りエッジはタイミングパルス信号の第３立下りエッジであり、イネーブル制御信号の立上りエッジはタイミングパルス信号の第２立上りエッジであり、イネーブル制御信号の立下りエッジはタイミングパルス信号の第２立下りエッジである。
【００１０】
有効表示時間内に、前記制御信号は進み初期パルス信号と複数の遅れタイミングパルス信号を含む。
【００１１】
本発明のもう一つの目的は、制御信号を走査駆動チップに伝送するタイミング駆動チップ、走査線及び走査線に結合される走査駆動チップを含む液晶パネルの駆動回路を提供することであり、前記制御信号は、
低レベルからハイレベルに上昇する第１立上りエッジとハイレベルから低レベルに降下する第１立下りエッジを有する初期パルス信号と、
低レベルから中間レベルに上昇する第２立上りエッジ、中間レベルからハイレベルに上昇する第３立上りエッジ、ハイレベルから中間レベルに降下する第２立下りエッジ及び中間レベルから低レベルに降下する第３立下りエッジを有するタイミングパルス信号と、を含む。
【００１２】
前記タイミング駆動チップと走査駆動チップとの間には前記制御信号を伝送するための1本の配線しかない。
【００１３】
前記走査駆動チップ内には前記制御信号を標的制御信号に変換するための復号化モジュールが設けられ、前記走査駆動チップは標的制御信号に基づき液晶パネルを駆動するための走査駆動信号を出力する。
【００１４】
前記標的制御信号は、開始パルス信号、クロックパルス信号及びイネーブル制御信号を含む。
【００１５】
前記復号化モジュールは、前記初期パルス信号を開始パルス信号に変換し、前記タイミングパルス信号をクロックパルス信号とイネーブル制御信号に変換し、クロックパルス信号の立上りエッジはタイミングパルス信号の第３立上りエッジであり、クロックパルス信号の立下りエッジはタイミングパルス信号の第３立下りエッジであり、イネーブル制御信号の立上りエッジはタイミングパルス信号の第２立上りエッジであり、イネーブル制御信号の立下りエッジはタイミングパルス信号の第２立下りエッジである。
【００１６】
有効表示時間内に、前記制御信号は進み初期パルス信号と複数の遅れタイミングパルス信号を含む。
有効表示時間内に、前記制御信号は進み初期パルス信号と複数の遅れタイミングパルス信号を含む。
【発明の効果】
【００１７】
本発明により提供される液晶パネルの駆動方法及び駆動回路において、タイミング駆動チップは制御信号を走査駆動チップに伝送し、走査駆動チップは該制御信号を走査信号の出力を制御する開始パルス信号、クロックパルス信号及びイネーブル制御信号に復号化する。このように、タイミング駆動チップと走査駆動チップとの間に前記制御信号を伝送するための1本の配線しか必要ないようにし、よって液晶パネルの配線を減らし、設計の難しさを低減させるとともに、コストを削減することもできる。
【図面の簡単な説明】
【００１８】
【図１】従来技術により提供される駆動波形を示す図である。
【図２】本発明の一実施例により提供される駆動波形を示す図及び復号化後の駆動波形を示す図である。
【図３】本発明の一実施例により提供される液晶パネルの駆動回路を示す図である。
【発明を実施するための形態】
【００１９】
以下、本発明の実施例について詳細に説明し、その実例は図面に示されており、同一符号は常に同一部材を示す。以下、本発明を解釈するために図面を参照しながら実施例を説明する。
【００２０】
図２に示すように、本実施例はタイミング駆動プロセスと走査駆動プロセスを含む液晶パネルの駆動方法を提供する。前記タイミング駆動プロセスは制御信号ＣＳを発生することを含み、有効表示時間内に、制御信号ＣＳは進み初期パルス信号と複数の周期的遅れタイミングパルス信号を含む。該初期パルス信号は低レベルからハイレベルに上昇する第１立上りエッジ及びハイレベルから低レベルに降下する第１立下りエッジを有し、該タイミングパルス信号は低レベルから中間レベルに上昇する第２立上りエッジ、中間レベルからハイレベルに上昇する第３立上りエッジ、ハイレベルから中間レベルに降下する第２立下りエッジ及び中間レベルから低レベルに降下する第３立下りエッジを有する。
【００２１】
走査駆動プロセスは、
タイミング駆動回路により入力される制御信号ＣＳを受信する受信ステップと、
該制御信号ＣＳに基づき標的制御信号を生成する変換ステップと、
標的制御信号に基づき液晶パネルを駆動するための走査駆動信号を出力する出力ステップと、を含む。
【００２２】
好ましくは、変換ステップにおいて、制御信号ＣＳに基づいて生成された標的制御信号は、開始パルス信号ＳＴＶ、クロックパルス信号ＣＫＶ及びイネーブル制御信号ＯＥを含み、具体的には、初期パルス信号を開始パルス信号ＳＴＶに変換し、前記タイミングパルス信号をクロックパルス信号ＣＫＶ及びイネーブル制御信号ＯＥに変換する。初期パルス信号の第１立上りエッジは開始パルス信号ＳＴＶの立上りエッジであり、初期パルス信号の第１立下りエッジは開始パルス信号ＳＴＶの立下りエッジであり、タイミングパルス信号の第２立上りエッジはイネーブル制御信号ＯＥの立上りエッジであり、タイミングパルス信号の第２立下りエッジはイネーブル制御信号ＯＥの立下りエッジであり、タイミングパルス信号の第３立上りエッジはクロックパルス信号ＣＫＶの立上りエッジであり、タイミングパルス信号の第３立下りエッジはクロックパルス信号ＣＫＶの立下りエッジである。
【００２３】
本実施例はさらに液晶パネルの駆動回路を提供し、図３に示すように、タイミング駆動チップ１００、走査線及び走査線に結合される走査駆動チップ２００を含み、走査駆動チップ２００内には復号化モジュール２１０が含まれている。タイミング駆動チップ１００は制御信号ＣＳを走査駆動チップ２００に出力し、好ましい実施例において、タイミング駆動チップ１００と走査駆動チップ２００との間には制御信号ＣＳを送信するための1本の配線しかない。有効表示時間内に、制御信号ＣＳは進み初期パルス信号と複数の遅れタイミングパルス信号を含む。該初期パルス信号は低レベルからハイレベルに上昇する第１立上りエッジ及びハイレベルから低レベルに降下する第１立下りエッジを有し、該タイミングパルス信号は低レベルから中間レベルに上昇する第２立上りエッジ、中間レベルからハイレベルに上昇する第３立上りエッジ、ハイレベルから中間レベルに降下する第２立下りエッジ及び中間レベルから低レベルに降下する第３立下りエッジを有する。
【００２４】
走査駆動チップ２００は該制御信号ＣＳを受信した後、復号化モジュール２１０により該制御信号ＣＳを開始パルス信号ＳＴＶ、クロックパルス信号ＣＫＶ及びイネーブル制御信号ＯＥを含む標的制御信号に復号化し、具体的には、初期パルス信号を開始パルス信号ＳＴＶに変換し、前記タイミングパルス信号をクロックパルス信号ＣＫＶ及びイネーブル制御信号ＯＥに変換する。初期パルス信号の第１立上りエッジは開始パルス信号ＳＴＶの立上りエッジであり、初期パルス信号の第１立下りエッジは開始パルス信号ＳＴＶの立下りエッジであり、タイミングパルス信号の第２立上りエッジはイネーブル制御信号ＯＥの立上りエッジであり、タイミングパルス信号の第２立下りエッジはイネーブル制御信号ＯＥの立下りエッジであり、タイミングパルス信号の第３立上りエッジはクロックパルス信号ＣＫＶの立上りエッジであり、タイミングパルス信号の第３立下りエッジはクロックパルス信号ＣＫＶの立下りエッジである。
【００２５】
走査駆動チップ２００は標的制御信号に基づいて液晶パネルを駆動するための走査駆動信号を走査線に出力する。
【００２６】
要するに、本発明により提供される液晶パネルの駆動方法及び駆動回路において、タイミング駆動チップは制御信号を走査駆動チップに伝送し、走査駆動チップは該制御信号を走査信号の出力を制御する開始パルス信号、クロックパルス信号とイネーブル制御信号に復号化する。このように、タイミング駆動チップと走査駆動チップとの間に前記制御信号を伝送するための1本の配線しか必要ないようにし、よって液晶パネルの配線を減らし、設計の難しさを低減させるとともに、コストを削減することもできる。
【００２７】
ここで説明すべきことは、本明細書において、第１と第２などのような関係用語は一つの実体又は操作をもう一つの実体又は操作と区別するためのものであり、これらの実体又は操作の間に如何なるこのような実質的関係又は順番が存在することを要求し又は示唆するとは限らない。また、用語「含む」、「有する」又は如何なるその他の変形は非排他的な含みを含むことを目的とし、よって一連の要素を含む工程、方法、品物又は装置にそれらの要素を含ませるだけでなく、さらに明確に挙げられていないその他の要素を含ませ、又はさらにこのような工程、方法、品物又は装置に固有の要素を含ませる。より多くの限定がない限り、文言「…を含む」によって限定される要素は、前記要素を含む工程、方法、品物又は装置にその他の同一要素がさらに存在することを排除しない。
【００２８】
本発明はその例示的な実施例を参照して具体的に説明し示しているが、当業者であれば、請求項により限定された本発明の精神及び範囲を逸脱しない限り、その形式及び詳細に関する種々の変更を行うことができることを理解すべきである。
【図１】
2017502340.tif 000003
【図２】
2017502340.tif 000004
【図３】
2017502340.tif 000005
【国際調査報告】
2017502340.tif 000006
2017502340.tif 000007
2017502340.tif 000008
2017502340.tif 000009
2017502340.tif 000010
2017502340.tif 000011